Podtech/llm-jp-corpus-v4-ja_patent huggingface dataset:
(57)【要約】      （修正有）【課題】歯茎や口内をきず付けることなく、短時間で歯磨きを終了させると共に、歯の磨き残しを極力少なくすることが出来る歯ブラシを提供する。【解決手段】手動式や電動式歯ブラシのブラシ台３にブラシの毛５を植毛し、先端部全周をシリコンゴム９で被覆し、毛先の長さ６が３ミリ未満になるように切除する。又は、シリコンゴムで被覆後、毛先の長さが３ミリ未満になる毛を事前に植毛する。【選択図】図１
0003198651.tif 000002
【実用新案登録請求の範囲】
【請求項１】
手動式や電動式の歯ブラシにおいて、ブラシ台の先端部全周をシリコンゴム等で被覆していることを特徴とする。
【請求項２】
前記歯ブラシにおいて、毛足の長さが均一なもの、均一でないものに関わらず、ブラシの最も長い毛足群の長さを  ３ミリ未満とすることを特徴とする。
【考案の詳細な説明】
【技術分野】
【０００１】
本考案は、手動式や電動式歯ブラシのブラシ台の先端部全周をシリコンゴム等で被覆し、毛足長さを３ミリ未満と  極端に短くした、歯ブラシに関するものである。
【背景技術】
【０００２】
従来の手動式や電動式歯ブラシは、ブラシの材質の違いにより、硬さや太さを変えたり、歯にブラシの毛先が密着するように、毛先の形状を凸凹に変化させたり、歯ブラシの柄のしなりを利用して、歯の汚れを落とそうとしていた。
しかし、従来の歯ブラシは、毛足が長いため  歯の汚れを掻き落とす力が弱く、特に奥歯においては、ブラシ台を奥まで入れても、ブラシの毛が撓むため  毛先が奥までとどかず、奥歯の一部に磨き残しが発生していた。又、近年は振動式や回転式の電動歯ブラシが普及しているが、毛足が長いため  ブラシ台の振動や回転力が充分に、効率良く毛先まで伝わらず、電動式歯ブラシにも関わらず、力を入れて長時間歯磨きをしなくては  ならなかった。このため、ブラシの毛は撓んだ状態を長時間強いられるので、毛先が短時間で開き、歯ブラシの寿命を短くする上に  奥歯の一部に磨き残しが発生するという  欠点があった。さらに、口を大きく開けられない人や小児などには、力加減が分からないので  歯茎や口内をきず付けていた。
【先行技術文献】
【特許文献】
【０００３】
【特許文献１】特開２００２−３３０８２３号公報
【非特許文献】
【０００４】
【非特許文献１】未検索
【考案の概要】
【考案が解決しようとする課題】
【０００５】
解決しようとする課題は、歯茎や口内をきず付けることなく、短時間で歯磨きを終了させて、歯の磨き残しを極力少なくする。
【課題を解決するための手段】
【０００６】
本考案は、手動式や電動式歯ブラシのブラシ台にブラシの毛を植毛し、先端部全周をシリコンゴム等で被覆し、毛先の出を３ミリ未満になるように  バリカン等で切除する。又は、シリコンゴム等で被覆後、毛先の長さが３ミリ未満になるように、被覆厚みを加えた長さの毛を事前に植毛する。
【考案の効果】
【０００７】
本考案は、歯ブラシの毛足の長さを従来のものより、極端に短くしたため、口を大きく開けられない人や小児などでも、容易に奥歯までブラシの毛先を入れることが出来、歯茎や口内をきず付けることなく、効率的に汚れを掻き落とせるため、歯磨きの時間短縮や労力軽減が図れる。又、歯ブラシの毛先が開きづらいため、長寿命化が図れるので経済的である。
【図面の簡単な説明】
【０００８】
【図１】図１は、本考案のブラシ台先端部全周をシリコンゴム等で被覆し、かつ  ブラシの毛足の長さを３ミリ未満とした振動式電動歯ブラシ先端部を示す正面図。（実施例１）
【図２】図２は、毛足の長い従来品の振動式電動歯ブラシ先端部を使用した時のブラシの毛が奥歯に接触し、撓んでいる状態を簡略化した平面図。
【図３】図３は、本考案のブラシ台先端部全周をシリコンゴム等で被覆し、かつ  ブラシの毛足の長さを３ミリ未満とした振動式電動歯ブラシ先端部を使用した時のブラシの毛が奥歯に接触し、撓んでいる状態を簡略化した平面図。（実施例１）
【考案を実施するための形態】
【０００９】
本考案は、手動式や電動式歯ブラシのブラシ台にブラシの毛を植毛し、先端部全周をシリコンゴム等で被覆し、毛先の出を３ミリ未満になるように  バリカン等で切除する。又は、シリコンゴム等で被覆後、毛先の長さが３ミリ未満になるように、被覆厚みを加えた長さの毛を事前に植毛する。
【実施例】
【００１０】
図１の実施例１は、本考案のブラシ台先端部全周をシリコンゴム等で被覆し、かつ  ブラシの毛足の長さを３ミリ未満とした振動式電動歯ブラシ先端部を示す正面図である。図２は、毛足の長い従来品の振動式電動歯ブラシを使用した時の  ブラシの毛が奥歯に接触し、撓んでいる状態を簡略化した平面図であって  １〜３は、図３と同様である。図２の状態で電源を入れても、振動がほとんど毛先まで伝わらず、その効果が得られず手動式と大差はない。しかも、１の奥歯まで４の長いブラシの毛を入れても、撓みが生じるので  ７で示すような磨き残し範囲が発生する。図３の実施例１は、本考案の振動式電動歯ブラシ先端部を使用した時のブラシの毛が奥歯に接触し、撓んでいる状態を簡略化した平面図である。３のブラシ台の先端部全周は  ９で示すシリコンゴム等で被覆している。６はブラシの毛足の長さを表し、シリコンゴム等からの出を３ミリ未満とする。図３の状態で電源を入れると、その振動が毛先まで伝わり、その効果が得られ手動式よりも  楽に歯磨きが出来る。又、８で示すような磨き残し範囲は発生するが、従来品の７で示すような磨き残し範囲よりも  小さくすることが可能である。
【産業上の利用可能性】
【００１１】
ブラシの材質を防錆金属ワイヤー等にして、電動モーターを大型化すれば、電動錆落とし機、電動磨き機等のブラッシング用途等にも適用出来る。
【符号の説明】
【００１２】
１  奥歯
２  振動式電動歯ブラシの柄
３  振動式電動歯ブラシのブラシ台
４  従来の振動式電動歯ブラシの長いブラシの毛
５  本考案の振動式電動歯ブラシの短いブラシの毛
６  ブラシの毛足の長さを表し、シリコンゴム等からの出を３ミリ未満とする。
７  従来品を使用した場合の磨き残し範囲
８  本考案を使用した場合の磨き残し範囲
９  ブラシ台の先端部全周を被覆しているシリコンゴム等
【図１】
0003198651.tif 000003
【図２】
0003198651.tif 000004
【図３】
0003198651.tif 000005
【手続補正書】
【提出日】平成27年5月13日(2015.5.13)
【手続補正１】
【補正対象書類名】実用新案登録請求の範囲
【補正対象項目名】全文
【補正方法】変更
【補正の内容】
【実用新案登録請求の範囲】
【請求項１】
手動式や電動式の歯ブラシにおいて、ブラシ台の先端部全周をシリコンゴムで被覆していることを特徴とする歯ブラシ。
【請求項２】
毛足の長さが均一なもの、均一でないものに関わらず、ブラシの最も長い毛足群の長さを  ３ミリ未満とすることを特徴とする請求項１に記載の歯ブラシ。
(57)【要約】      （修正有）【課題】風力を利用する方式で行う包装袋の開口機にあって、包装袋を１枚ずつ口開けでき、２枚目以降は静置を維持し、包装物投入後は、袋をスムースに取り外すことができる固定器を提供する。【解決手段】包装袋の開口機にあって、包装袋（束）を押圧する、突起部品１０を装着した、板バネ９でなる固定器であって、板バネ９に装着した突起部品１０が、包装の束をボードに押圧して固定する。【選択図】図１４
0003198675.tif 000002
【実用新案登録請求の範囲】
【請求項１】
包装袋の開口機にあって、包装袋（束）を押圧する、突起部品を装着した、板バネでなる固定器。
【考案の詳細な説明】
【技術分野】
【０００１】農産物や食品を樹脂製の包装袋に包む傾向が顕著である。これは、ポリプロピレン樹脂フィルム（ＯＰＰフィルム）の製造技術が進歩したことによる。極薄のフィルムでも強靭で、低コストを実現し、特に透明性が優れることから、包装物を美しく見せる機能が評価され、その利用が拡大している。【０００２】農産物やパン等の食品の一部は、少量多品種の代表ともいうべき産品である。このため包装工程の機械化は難しく、大半が手作業で行われている。作業の工程は、袋の口を指で開き、産品を手で袋に投入し、袋の口を手作業で閉じるというものである。【０００３】本考案は、作業工程の中、包装物の投入を容易にする、開口（口あけ）の分野に関する。
【背景技術】
【０００４】包装袋の開口に関する工夫は、種々為されてきた。本考案では、風力を利用した開口機で、その重要な機能を司る部分である。即ち、開口機の構成要素は、大別すると送風機の部分と、包装袋を固定する部分からなる。本考案は後者の、包装袋の固定器についての新案である。
【考案が解決しようとする課題】
【０００５】包装袋の固定器の役割の第１は、積み上げられた袋（束）を、１枚ずつ口を開け、産品の投入を容易にすることである。
【０００６】包装袋の固定器の役割の第２は、固定した最上部の袋を開口した場合、包装物の投入を終えるまで、袋が風で吹き飛ばされることなく、袋の口の部分を固定し続けることである。
【０００７】これ等の固定器の機能をスムースに果たす上で、考慮すべき点がある。それは包装袋の形状で、大別して２種類の袋がある。その一つは、リップ型（図３）と呼ばれる、封筒状の袋の口を備えるもので、この形の包装袋を固定する場合は、袋の枚数分のフィルム（リップ）を押圧し、固定することになる。これに対しリップをもたないフラット袋とか平袋と呼ばれる袋（図４）の場合は、袋の枚数分の２倍のフィルムを押圧することになる。
【０００８】これら２種の袋のスムースな開口は、固定器の働きにかかっている。即ち、袋を押圧する力の加減と、固定器から袋を取り外す時の滑りやすさである。
【課題を解決するための手段】
【０００９】請求項１の考案は、包装袋の開口機にあって、板バネ（図６−９）を用い、これにより袋を押圧して固定する。本考案による板バネは、図７−１０、図８−１０のように、板バネに突起状の部品を装着して、これにより袋の束を押圧し、固定する。
【００１０】この突起部品は、５ｍｍ前後の巾で、図１０のように丸みをもたせる。突起部は袋の表面に対しては、僅少の巾で線接触することになる。
【００１１】袋の固定装置への包装袋（束）をセットする手順は、初めにセットレバーを縦向きとして板バネを持ち上げ（図１２）、包装袋の束を差し込む。袋の頭（口部分）は、セットレバーの板（図１３）に突き当り、揃って、位置決めされる。
【００１２】次の手順は、セットレバーを横向きにする。これにより、固定装置の板バネは、その突起部品で袋の束を押圧することになる。
【本考案の効果】
【００１３】本考案になる開口機を構成する包装袋の固定器は、板バネに装着した突起部品が、包装の束をボードに押圧して固定する。この固定は僅少巾の線接触であることに加え、図１０のように丸みを持つ形状の突起部で行うため、袋の固定器からの引き離しや、空気の流入を促すための、指先による摘みやずらしの作業に対して、スムースな作業が具現する。
【図面の簡単な説明】
【００１４】
【図１】図１は、風力を利用する包装袋の開口機の斜視図。
【図２】図２は、包装袋の開口機の側面図。
【図３】図３は、リップ付き包装袋の上面図。
【図４】図４は、リップなしの包装袋の上面図。
【図５】図５は、包装袋の固定器具（板バネ）の側面図。
【図６】図６は、包装袋の固定器具の上面図。
【図７】図７は、本考案になる固定器具の斜視図。
【図８】図８は、固定器具の側面図。
【図９】図９は、本考案になる固定器具の板バネの裏面図。
【図１０】図１０は、本考案になる固定器具（板バネ）に装着した突起部品の斜視図。
【図１１】図１１は、突起部品の板バネに装着された状態を示した側面図。
【図１２】図１２は、袋を固定するためにセットレバーを縦向きに、板バネを持ち上げた状態を示す。
【図１３】図１３は、セットレバーの斜視図。
【図１４】図１４は、セットレバーを横向きに操作し、板バネを下げ、袋に押圧した状態を示す。
【考案を実施するための形態】
【００１５】本考案が最高度に機能する樹脂袋は、ポリプロピレン樹脂製（ＯＰＰフィルム）である。
【００１６】本考案になる固定器具の板バネは、ステンレス製の板バネが良い。
【００１７】本考案になる板バネに装着する突起部品は、ステンレスの板バネを用いるのが良い。
【００１８】本考案になる板バネに装着する突起部品の設置数や設置の位置は、袋の巾や形状によって決める。
【符号の説明】
【００１９】  １  …  袋固定用のバネ
２  …  空気の吐出口
３  …  包装袋
４  …  送風機
５  …  袋開口機のボード
６  …  包装物の投入口
７  …  リップ
８  …  包装袋の束
９  …  板バネ
１０  …  突起部品
１１  …  セットレバー
【図１】
0003198675.tif 000003
【図２】
0003198675.tif 000004
【図３】
0003198675.tif 000005
【図４】
0003198675.tif 000006
【図５】
0003198675.tif 000007
【図６】
0003198675.tif 000008
【図７】
0003198675.tif 000009
【図８】
0003198675.tif 000010
【図９】
0003198675.tif 000011
【図１０】
0003198675.tif 000012
【図１１】
0003198675.tif 000013
【図１２】
0003198675.tif 000014
【図１３】
0003198675.tif 000015
【図１４】
0003198675.tif 000016
(57)【要約】      （修正有）【課題】金属製のリムを薄く軽くした眼鏡のリムを提供する。【解決手段】厚さ０．８〜１ｍｍの金属製の板から形成される眼鏡のリムであって、その長手方向に対する垂直断面形状が盃形断面形１０であって、底部の厚さｊが０．８〜１ｍｍで、開かれた部分の厚さｈが１．６〜２ｍｍである様に薄く軽く形成した。【選択図】図２
0003198674.tif 000002
【実用新案登録請求の範囲】
【請求項１】
厚さ０．８〜１ｍｍの金属製の板から形成される眼鏡のリムであって、その長手方向に対する垂直断面形状が盃形断面形であって、底部の厚さが０．８〜１ｍｍで、開かれた部分の厚さが１．６〜２ｍｍである事を特徴とする眼鏡のリム。
【請求項２】
開かれた盃形断面形の突起部が左右非対称である事を特徴とする請求項１記載の眼鏡のリム。
【考案の詳細な説明】
【技術分野】
【０００１】本考案は眼鏡のレンズ縁に嵌合する金属製のリムに関する。
【背景技術】
【０００２】従来、眼鏡に於いては、大別すると、縁無し眼鏡とハーフリム眼鏡とフルリムタイプの眼鏡に分けられる。その中でも、フルリムタイプの眼鏡に於いては、弱いレンズの角を守る為や、図３の様な頑丈なしっかりした造りの眼鏡の提供に大いに役に立ってきた。しかしその中でも例えば、図８の登録実用新案３０００６９０号のようにＴ型に線材を加工しレンズ縁に設けられたレンズ溝に嵌め込むような形でリムを薄く軽くする工夫も行われて来ていた。【０００３】
【特許文献１】登録実用新案３０００６９０号
【考案の開示】
【考案が解決しようとする課題】
【０００４】しかしながら、フルリムタイプの眼鏡が頑丈でしっかりした造りであれば有るほど、重くなり、最近の様に軽い樹脂製レンズを使用する場合重さの殆どをリムが占めてしまい、鼻や耳にその重さの負担が掛かり赤くはれてしまっていた。又、図８の上記特許文献１の様にリムをＴ型に線材を加工する場合は、嵌合する側のレンズの外周も加工して凹部を形成しなければならず、レンズ縁が欠けたりしてしまう事故が多発していた。
【課題を解決するための手段】
【０００５】上記課題を解決する為に本考案に於いては、先ず、厚さ０．８〜１ｍｍの金属製の板から形成される眼鏡のリムであって、その長手方向に対する垂直断面形状が盃形断面形であって、底部の厚さが０．８〜１ｍｍで、開かれた部分の厚さが１．６〜２ｍｍである事を特徴とする眼鏡のリムの提供を図った。【０００６】更に、開かれた盃形断面形の突起部が左右非対称である様にした。
【考案の効果】
【０００７】リムの重量が従来よりも１／２〜１／４軽くなり、鼻や耳への負担も少なくなり、見栄えも良くなり縁無し眼鏡やハーフリムタイプの眼鏡なみに縁が薄く軽くなった。
【図面の簡単な説明】
【０００８】
【図１】本考案のリムを装着した眼鏡要部正面図
【図２】本考案のリムの図１のＡ−Ａ断面図
【図３】従来のリムの断面図
【図４】本考案と従来の比較断面図
【図５】従来のリムを嵌合した要部断面図
【図６】本考案のリムを嵌合した要部断面図
【図７】本考案の他の実施例の要部断面図
【図８】従来図
【考案を実施するための最良の形態】
【０００９】厚さ０．８〜１ｍｍの金属製の板から形成される眼鏡のリムであって、その長手方向に対する垂直断面形状が盃形断面形であって、底部の厚さが０．８〜１ｍｍで、開かれた部分の厚さが１．６〜２ｍｍである事を特徴とする眼鏡のリムの提供。
【実施例１】
【００１０】図１は、本考案のリムを装着した要部正面図であり、図２はそのＡ−Ａ断面図であり０．８〜１ｍｍの金属板から、打ち抜き加工又はレーザー等によるカット加工により形成されたリムの長手方向に対する垂直断面形状であり、略盃形断面形のリム１０で有り、その底部ｊの厚さが０．８〜１ｍｍであって、斜め上方に開かれ押し広げられた羽根状突起１２の厚さ幅ｈが１．６〜２ｍｍである様に切削、押し広げる様に加工される。【００１１】こうされる事により、図３の様に実質１．６〜２ｍｍのリム線材を使用してレンズ嵌合溝１４ａを設けたリム１１と同じ効果を有する事になる。【００１２】現在、リムの厚さ（幅）は１．６〜２ｍｍが限界の厚さと言われており、今迄のレンズ嵌合溝を掘るという方法ではここまでが限界で有った。【００１３】図４（イ）は本考案に使用される金属板の断面面積でｍ×ｋであって、（ロ）は今迄の使用金属板（高さは同じで厚さがほぼ倍の場合）の断面面積はｍ×２ｋでほぼ半分の量で済む。（ハ）は高さが、１．５倍で厚さが２倍の場合であり、１．５ｍ×２ｋでほぼ３分の１の量ですみ、省エネ、省資源にも役に立つ事となる。【００１４】図５は従来のリムをレンズに嵌合した要部断面図であり、図６は本考案のリムを装着した要部断面図であり、見た目にも薄く目立たなく縁無し眼鏡の様に軽くてファッション的にも良いデザインとなる。【００１５】図７は本考案の請求項２に係る垂直断面図であり、この場合は、盃形断面形状の突起部分の長さ、角度等を左右非対称にする事により、カーブの深いレンズ、所謂ハイカーブレンズにも対応できる様に簡単に加工可能になった。【００１６】図８は登録実用新案３０００６９０号の薄型リムの長手方向の垂直断面図であり、薄くは形成可能であるが、レンズの縁の方に問題を生じやすく、レンズ欠けとかの重大な事故が起きる恐れがあった。
【産業上の利用可能性】
【００１７】少し下火になった金属製のフルリム型の眼鏡に新しい需要を掘り起こせる事となった。
【符号の説明】１０                本発明のリム
１１                従来のリム
１２                本発明のリムの開けられた突起
１４                レンズ嵌合溝
ｊ、ｋ、            底部厚さ（幅）
ｈ                  上部厚さ（幅）
ｍ                  高さ
【図１】
0003198674.tif 000003
【図２】
0003198674.tif 000004
【図３】
0003198674.tif 000005
【図４】
0003198674.tif 000006
【図５】
0003198674.tif 000007
【図６】
0003198674.tif 000008
【図７】
0003198674.tif 000009
【図８】
0003198674.tif 000010
(57)【要約】      （修正有）【課題】タバコ煙の悪臭、有害物質を簡易で、比較的小型な装置で除去して、集塵フィルタや脱臭フィルタの交換はなく、水の補給・排出も容易であり、水の後処理も簡単なタバコ煙のパーソナル空気清浄器を提供する。【解決手段】上部から下部に亘り、吸引フード１００、吸引ダクト２００、水タンク４００の順に連通配置したスタンド型であり、吸引フード１００又は吸引ダクト２００に吸引ファン３００を配置すると共に、吸引ダクト２００の上端を吸引フード１００に連通接続し、吸引ダクト２００の下端を水タンク４００内の水中に開口し、水タンク４００内の水は給・排水交換可能にしたことを特徴とする。【選択図】図１
0003198677.tif 000002
【実用新案登録請求の範囲】
【請求項１】
上部から下部に亘り、吸引フード、吸引ダクト、水タンクの順に連通配置したスタンド型であり、前記吸引フード又は吸引ダクトに吸引ファンを配置すると共に、吸引ダクトの上端を吸引フードに連通接続し、前記吸引ダクトの下端を水タンク内の水中に開口し、水タンク内の水は給・排水交換可能にしたことを特徴とするタバコ煙のパーソナル空気清浄器。
【考案の詳細な説明】
【技術分野】
【０００１】本考案は、床、机やテーブル等に載置されて、タバコの煙を除去するパーソナル型の卓上空気清浄器に関する。
【背景技術】
【０００２】  従来、タバコの煙や、焼き肉や焼き魚などの調理設備から出る排気ガスの悪臭、煙、有害物質は除去する方法は、アルカリ、酸などの薬液を吸収液として、充填塔、スプレ−塔、濡れカベ塔、段塔、気泡塔などで吸収する方法や活性炭などの粒状の吸着剤を用いる吸着装置が利用されている。
これらはいずれも大掛かりな装置でかなり広いスペースが必要である。また排気または排煙の脱臭、浄化はその成分によっては十分に対応することができない。使用する薬剤の劣化に伴って性能が低下すること薬剤の交換のコストが多くかかる。【０００３】  而して、広く普及し始めた空気清浄機及び特許文献１にて紹介されている卓上空気清浄機は、脱臭・除塵は出来ても、タバコの煙の有害成分中最も有害な一酸化炭素やニコチンの大部分を除去・清浄化できない。【０００４】  因みに特許文献１に紹介の卓上空気清浄機は、特許請求の範囲に記載のように「装置正面に設けられて、タバコの煙を含む空気を吸い込むための正面開口部と、該正面開口部から吸い込まれた前記空気を遠心方向に圧送する送風機と、前記装置正面の左右の周縁部に設けられて、前記送風機から圧送された空気を装置前方に吐き出すための左右一対の周辺開口部と、前記正面開口部と前記送風機との間、及び／又は、前記送風機と前記左右一対の周辺開口部との間に介挿されて、タバコの煙を除去するための多孔性又は繊維性素材をひだ状に折り畳んでパネル化した集塵フィルタと、微粉末の活性炭と粒状の活性炭との２段構成の脱臭フィルタを取替可能に備えてなる卓上空気清浄機。」である。【０００５】  タバコの煙は、喫煙者だけでなく室内にいる他の人にも被害を及ぼしている。喫煙者の肺がん、胃がんの原因になるだけでなく、乳幼児突然死症候群の原因の６割はタバコの煙であると言われている。
【先行技術文献】
【特許文献】
【０００６】
【特許文献１】特開２００４−６９２０５号公報「卓上空気清浄機」
【考案の概要】
【考案が解決しようとする課題】
【０００７】  本考案はタバコ煙の悪臭、有害物質を簡易で、比較的小型な装置で除去して、脱臭、浄化でき、集塵フィルタや脱臭フィルタの交換はなく、水の補給・排出も容易であり、水の後処理も簡単な「タバコ煙のパーソナル空気清浄器」を提供しようとするものである。
【課題を解決するための手段】
【０００８】上記課題を満足させる本考案の基本的な技術構成は、図１〜図２に示す通り次の（１）の特徴を有する。【０００９】（１）上部から下部に亘り、吸引フード、吸引ダクト、水タンクの順に連通配置したスタンド型であり、前記吸引フード又は吸引ダクトに吸引ファンを配置すると共に、吸引ダクトの上端を吸引フードに連通接続し、前記吸引ダクトの下端を水タンク内の水中に開口し、水タンク内の水は給・排水交換可能にしたことを特徴とするタバコ煙のパーソナル空気清浄器。
【考案の効果】
【００１０】  本考案のタバコ煙の悪臭、有害物質を簡易で、比較的小型な装置で除去して、脱臭、浄化でき、集塵フィルタや脱臭フィルタの交換はなく、水の補給・排出も容易であり、水の後処理も簡単あるなどの優れた効果を呈する。
【図面の簡単な説明】
【００１１】
【図１】本考案の実施例１を示す縦断面である。
【考案を実施するための形態】
【００１２】  考案を実施するための形態を実施例により詳細に説明する。
【実施例】
【００１３】  図１〜図２にタバコ煙のパーソナル空気清浄器の実施例１を示す。
本実施例のタバコ煙のパーソナル空気清浄器は、上部から下部に亘り、吸引フード１００、吸引ファン２００、吸引ダクト３００、水タンク４００の順に連通配置したスタンド型である。【００１４】  前記吸引フード１００は、横向きに開口し、吸引ダクト３００の上端縁３０１との接続部に吸引ファン２００を単数又は複数個を配置する。
前記吸引ファン２００は、吸引ダクト３００の上端縁３０１の他に、吸引ダクト３００の任意の位置に設置することができる。
前記吸引フード１００にはルーパー等の吸引量調節具を設置することができる。また吸引ファン２００の直前には安全上及び汚れ防止の軽微な金網やフィルター等を配置してもよい。【００１５】  吸引ダクト３００は、上記のように上端縁３０１を横向きにして吸引フード１００の下流端に連通接続し、中間部３０２を竪型にして絞り形成し、下部３０３の下端を水タンク４００内の水中に開口してある。
又吸引ダクト３００の直管部の背部には取っ手５００を設けて手軽に持ち運び可能にしてある。【００１６】  水タンク設置部はスタンドの基部５００とするもので、清浄器の安定設置を有利に可能にする。
水タンク４００は給水管４０２と配水管４０３を接続して水４０１を給排・交換可能にしてある。水タンク４００の上部には、排気ダクト４０４を接続し、排気ダクト４０４にはミストキャチャー４０５を内装してあり、外部にタンク内バブリングにより発生するヒューム・ミストを補足して外部への飛散を防止する。【００１７】  以上の構成により、タバコ煙のパーソナル空気清浄器を喫煙者の傍に置くだけで、タバコ煙は、吸引ファンの２００稼働により吸引フード１００、吸引ファン２００、吸引ダクト３００、水タンク４００内の順に吸引導入され、水タンク４００内の水中を通してバブリングすることにより、タバコ煙の悪臭、有害物質を、水中に吸収除去して脱臭、浄化し、水タンク４００の水面上から排気ダクト４０４から排出される。
【産業上の利用可能性】
【００１８】本考案は、前記のように優れた作用効果を呈し、一般家庭は勿論、事務所や詰所等にて喫煙者のそばに手軽に設置するのみで空気環境を良好に維持するため、広く活用される「タバコ煙のパーソナル空気清浄器」である。
【符号の説明】
【００１９】      １００：吸引フード
２００：吸引ファン
３００：吸引ダクト
４００：水タンク
３０１：上端縁
３０２：中間部
３０３：下部
４００：水タンク
５００：取っ手
６００：基部
４０１：水
４０２：給水管
４０３：配水管
４０４：排気ダクト
４０５：ミストキャチャー
【図１】
0003198677.tif 000003
(57)【要約】      （修正有）【課題】地図上の任意の位置に画像、文字、音声を挿入し表示させることができるカーナビゲーションを提供する。【解決手段】カーナビゲーション本体１の内部に画像、動画、音声を挿入し記録させ表示、再生する装置を搭載する。【選択図】図１
0003198673.tif 000002
【実用新案登録請求の範囲】
【請求項１】
カーナビゲ−ション本体に地図表示された任意の位置に、画像、動画、音声を挿入し記録したものを表示する装置を搭載し、前記記録された画像、動画、音声を地図情報とともに表示、再生することができる装置を搭載することを特徴とする画像や動画、音声が挿入できるカーナビゲーション。
【考案の詳細な説明】
【技術分野】
【０００１】  本考案は、カーナビゲーションに画像や動画、音声を挿入したり、挿入した情報を再生したり編集できる機能を付属させるカーナビゲーションに関するものである。
【背景技術】
【０００２】  従来、カーナビゲーションは、人工衛星からの情報を受け取り、それを表示するのみでその地点での画像、動画、音声を入れたり再生、編集する機能がなかった。
【考案の概要】
【考案が解決しようとする課題】
【０００３】  カーナビゲーションの任意の通過位置に、画像、動画、音声を入れる機能を提供し、それを、再生、編集できる。またカーナビゲーション以外の情報表示機器に移し再生、編集などの加工ができる。
【課題を解決するための手段】
【０００４】  本考案は、カーナビゲーションに画像、動画、音声を記録保存する装置を付属させることで、運転者の任意の通過位置で、カーナビゲーションに画像、動画、音声を挿入したり、その記録保存された情報をカーナビゲーション自体で再生、編集したり他の携帯電話等の表示機器に移し再生させたり編集することもできる。
【考案の効果】
【０００５】  従来、カーナビゲーションは道案内の機能だけを有し、ドライブが持つ楽しさを記録、再生することができなかった。画像、動画、音声を挿入することにより、運転者独自の旅日記的なものができ、ドライブの楽しさが増大し、観光産業に波及効果が見込める。ドライブに、より一層の楽しさを付加することにより、車の購入者を増やすことにもつながる。新しい電子機器による経済効果、雇用の創出も見込める。
【図面の簡単な説明】
【０００６】
【図１】カーナビゲーションに写真を挿入した図
【考案を実施するための形態】
【０００７】  カーナビゲーションに画像、動画、音声記録装置を搭載させ、地図上の挿入させたい位置で画像、動画、音声を挿入し記録する。記録された画像、動画、音声が折り畳まれていることを表示するタッチパネル式のアイコンを地図上に表示する機能も付属させ、再生したい時には前記アイコンをクリックすることとする。前記カーナビゲーションには他の表示機器に名前をつけて保存した前記情報を流す機能も有し、地図情報と挿入された前記画像、動画、音声情報を携帯端末やパーソナルコンピューター等に流し再生したり編集したりすることもできることとする。
【実施例】
【０００８】  以下添付図に従って、一実施例を説明する。１は、カーナビゲーション本体であり、２の写真や動画を挿入することができる。３は、画像、動画、音声が挿入され折り畳まれていることを示す、アイコンである。【０００９】  ４はカーナビゲーションに設けられたケーブルを接続する出力口である。
【符号の説明】
【００１０】  １  カーナビゲーション本体
２  挿入された画像や文字説明
３  挿入された画像や文字が折り畳まれた状態を示すアイコン
４  ケーブルーを接続する出力口
【図１】
0003198673.tif 000003
(57)【要約】      （修正有）【課題】高齢者等でも容易に内容物の補充が可能な手押しポンプ容器を提供する。【解決手段】シャンプー、リンス、液状石鹸、液状洗剤、アルコール消毒液等を入れて、使用するための手押しポンプ容器１であり、手押しポンプ部２の取り付け口とは別に、内容物の補充を行うための、専用の大口径の補充口を設けている。専用の大口径の補充口には、ゴムパッキン３を接着した蓋４を設けている。このように構成することにより、手押しポンプ部２は取り付けたままで容易に内容物の補充が出来る。【選択図】図１
0003198649.tif 000002
【実用新案登録請求の範囲】
【請求項１】
シャンプー、リンス、液状石鹸、液状洗剤、アルコール消毒液等の手押しポンプ容器において、大口径の内容物の補充口を設けることにより、高齢者等でも容易に内容物の補充が出来ることを特徴とする手押しポンプ容器である。
【請求項２】
前記、手押しポンプ容器の大口径の内容物補充口蓋に  ゴムパッキンを取り付けているので、手押しポンプ部は加圧式でも吸引式でもどちらの方式でも採用出来る。
【考案の詳細な説明】
【技術分野】
【０００１】
本考案は、高齢者等でも容易に内容物の補充が可能な手押しポンプ容器に関するものである。
【背景技術】
【０００２】
従来、シャンプー、リンス、液状石鹸、液状洗剤、アルコール消毒液等の内容物の補充時は、毎回手押しポンプ部を容器から外して  その取り外し口から行っていた。しかし、その取り外し口の口径が小さくて狭いので、こぼさずに内容物を補充することが難しく  じょうご等を使用したりして手間がかかっていた。又、取り外した手押しポンプ部に  内容物が付着しているので、その養生をしなければならず、煩わしいという欠点があった。又、大口径の蓋の上に手押しポンプ部を取り付けたタイプのものも考案されて、内容物の補充は  し易くなったが、相変わらず手押しポンプ部も取り外しているので、その付着した内容物の養生の煩わしさの問題は解決されていなかった。
【０００３】
又、専用の補充口を設けたものは、先願特許や実用新案として出願されているが、どれも補充口が小さく高齢者等には、不向きなので実用的ではない。この改善策として、手押しポンプ部は取り付けたままで、別に大口径の内容物の補充口を設けることにより、高齢者等が容易に内容物の補充が出来るので、前記の欠点や問題点が改善される。
【先行技術文献】
【特許文献】
【０００４】
【特許文献１】特許出願２００５−２０２１９８特許公開２００６−３４７６２２特許出願２００４−１８８９９４特許公開２００５−３４３５５９実用新案出願平４−４９８６７実用新案公開平６−３８５７実用新案出願２００７−７１７５登録実用新案第3137485号
【非特許文献】
【０００５】
【非特許文献１】未検索。
【考案の概要】
【考案が解決しようとする課題】
【０００６】
解決しようとする問題点は、内容物の補充口と手押しポンプ部の取り付け口が同一で  その口径が小さかった点であり、内容物の補充作業は、高齢者等には難しく  実用的ではなかった。又、大きくしたものは  内容物の補充口が一か所であったため、手押しポンプ部の付いた蓋を  毎回外さなくてはならなかった。
【課題を解決するための手段】
【０００７】
本考案は、手押しポンプ部の取り付け口と、別に大口径の内容物の補充口を設けることにより、手押しポンプ部は取り付けたままで  高齢者等でも容易に内容物の補充が出来ることを特徴とする。
【考案の効果】
【０００８】
本考案の手押しポンプ容器は、手押しポンプ部の取り付け口と、別に大口径の内容物の補充口が設けてあるので、手押しポンプ部は取り付けたままで  高齢者等でも容易に内容物の補充が出来る。又、無駄が出ないので経済的にも利点がある。
【図面の簡単な説明】
【０００９】
【図１】図１は、本考案による手押しポンプ容器の正面図である。（実施例１）
【図２】図２は、本考案による手押しポンプ容器の平面図である。（実施例１）
【考案を実施するための形態】
【００１０】
本考案は、シャンプー、リンス、液状石鹸、液状洗剤、アルコール消毒液等の手押しポンプ容器の内容物の補充が高齢者等でも、容易に行える手押しポンプ容器に関するものである。
【実施例】
【００１１】
図１は、本考案による手押しポンプ容器の正面図である。
図２は、本考案による手押しポンプ容器の平面図である。
１の本考案の容器は、半透明樹脂を射出成形により製作し、外からでも容易に  内容物の残量が把握できる構造とする。３のゴムパッキンは、２の手押しポンプ部を使用時に加圧式の場合  若干の内圧が発生するため、空気漏れの防止用として  ４の大口径の内容物補充口蓋に容易に落下しないように、取り付ける。３のゴムパッキンを取り付けているので、２の手押しポンプ部は、加圧式でも吸引式でもどちらでも対応することが出来る。又、４の大口径の内容物補充口蓋のネジは少しの回転で開閉出来るものを採用している。
【００１２】
本考案の手押しポンプ容器を構成する部品の材質を  可能なかぎり、耐アルカリ性や耐酸性品を使用することにより、長寿命化が図れ  使用用途も広範囲となる。容器の容量を大きくする場合は、容器本体か補充口の蓋に取っ手が必要である。
【産業上の利用可能性】
【００１３】
液状洗剤、アルコール消毒液等の手押し噴霧容器等にも適用できる。
【符号の説明】
【００１４】
１  本考案の半透明樹脂製容器
２  手押しポンプ部
３  ゴムパッキン
４  大口径の内容物補充口蓋
【図１】
0003198649.tif 000003
【図２】
0003198649.tif 000004
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
シャンプー、リンス、液状石鹸、液状洗剤、アルコール消毒液等を入れて、使用するための手押しポンプ容器であり、手押しポンプの取り付け口とは別に、内容物の補充を行うための、専用の大口径の補充口を設けていることを特徴とする手押しポンプ容器。
【請求項２】
請求項１に記載の手押しポンプ容器であって、前記専用の大口径の補充口には、ゴムパッキンを接着した蓋を設けていることを特徴とする手押しポンプ容器。
(57)【要約】      （修正有）【課題】天井自体が照明器具として機能するＬＥＤチップ埋め込み式の室内照明器具を提供する。【解決手段】認可許可が得られた耐熱性のある規格天井板１に成形段階で直径１０ｍｍ程の穴２をあけ、その天井板の裏にＬＥＤチップ３をとりつけたプリント基板もしくは薄い平板導線を貼り付けたことを特徴とする。【選択図】図２
0003198648.tif 000002
【実用新案登録請求の範囲】
【請求項１】
認可許可が得られた耐熱性のある規格天井板（300（600）×600等  厚み９〜        20mm）に成型段階で10mm位の穴をあけ、その天井板の裏にLEDチップをとりつけた基    盤（プリント基盤もしくは薄い平板導線）を貼り付けた室内照明器具である。
【請求項２】
LED埋め込み式天井板を縦と横に釘やネジで貼り合わせて広さに応じて天井全体を    覆うことができる。その時に電気配線をしなくても天井板を貼り合わせた段階で回路    が完成していて、電源スイッチをつなげればそのまま使用できる。
【考案の詳細な説明】
【技術分野】
【０００１】
本発明は天井板、もしくは天井に貼り付けることができるLED埋め込み式照明器具（LEDライトパネル）に関するものである。
【背景技術】
【０００２】
今日、日本ではLED（白色発光ダイオード）が普及しはじめ、白熱電灯はもとより蛍光灯さえ駆逐する勢いでLED化が進んでいる。その特徴として消費電力が小さく（電気代が安くすむ。）耐久性に優れていて（長持ち）、半導体なので軽くて直接電池などで対応できる等が挙げられる。今のところ従来の電灯より価格的には高いが量産化と技術開発が進めば解決していくだろう。それによって世界中でLEDが使われていくと思われる。      
現在、家電販売店等で室内照明としてLED照明が売られているが、すべて電球型もしくは蛍光管型であり、LEDチップ露出型の照明器具は販売されていない。照明器具建材店にも置いていない。今のところLEDチップの良さが生かされていないのが現状である。
【先行技術文献】
【特許文献】
【０００３】
【特許文献１】特許５２０３１５１      しかし、特許５２０３１５１のように設計段階で一枚の天井下地材に配線して  LEDチップをとりつけて、その下に天井板をかぶせて、あたかも照明器具がない天井  照明のように見せる方法もあるが、手間とコストがかかる。
【考案の概要】
【考案が解決しようとする課題】
【０００４】
また、部屋の真ん中あたりの天井から照明器具を垂らしたり、天井にじかに取り付けられているためどうしても部屋の隅のほうは真ん中あたりに比べると暗くなってしまう。また電灯の笠あたりに埃がついて掃除が大変になったり、昼間に天井を見ると目障りで邪魔くさく感じたりもする。
【課題を解決するための手段】
【０００５】
そこで図１のように規格化されたロックウール天井板あるいは石膏天井板に穴をあけてそこにＬＥＤを等間隔にあるいはランダムに直接埋め込み、天井板の裏側にはりつけた基盤（アルミ基盤、銅基盤）に接続して、従来の壁に取り付けた埋め込み型スイッチ（明るさを調節する可変スイッチも取り付け可）の裏側にACアダプターを取り付けてDC１２〜２４ボルトに変換して基板に直流電流を流して使用する。
【考案の効果】
【０００６】
新築あるいは改修工事に利用した場合、従来の天井に蛍光灯のような照明器具が見当たらないので、見た目がすっきりしていて部屋が広く感じられる。 
【図面の簡単な説明】
【０００７】
【図１】LED埋め込み式天井板１枚の全体図
【図２】LED埋め込み式天井板１枚の回路図と基盤図
【図３】LED埋め込み式天井板を縦と横につなぎ合わせたときの図
【考案を実施するための形態】
【０００８】
現在広く使われている天井板は厚みが９〜１５ミリの３０センチ×６０センチと６０センチ×６０センチの耐熱防音型のロックウールである。図２のようにそれに直径１センチほどの穴をあけ、裏に基盤を貼るかもしくはロックウール天井板を熱加工成型する工程でアルミ基盤等を埋め込み（この段階でLEDチップを取り付ける穴は成形されている）その天井板にLEDチップを接続する。LEDチップも個数は１枚の天井板３０×６０でLEDチップが３列６連の１８個（１０センチ間隔）もしくは７２個（５センチ間隔）（LEDチップの数は３列×N倍と増やすことができる。）６０×６０で３６個（１０センチ間隔）〜１４４個位（５センチ間隔）をとりつける。
【実施例】
【０００９】
そして図３ようにLED埋め込み型天井板の基盤の接続を確認しながら天井の広さに応じて従来の施工と同じようにして縦、横に配列してネジなどではりつけていく。
【産業上の利用可能性】
【００１０】
住宅やビルにかかわらず人が多く集まる所の天井や廊下や寝室、トイレ、居間、会議室等の天井におおいに汎用されるだろう。また、天井を天空に見立て、LEDチップを星として星座のようにランダムに配置して、ロマンチックに室内で夜空の景色を楽しむことも可能になるだろう。光の色も白色LED だけではなく赤、青、緑を多彩に配色してフルカラーの居住空間をつくることもできるようになると思う。 
【符号の説明】
【００１１】
１  天井板  ２  LED用埋め込み穴およびブラケット  ３  LEDチップ        ４  抵抗（なくてもよい）５  導線
【図１】
0003198648.tif 000003
【図２】
0003198648.tif 000004
【図３】
0003198648.tif 000005
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
認可許可が得られた耐熱性のある規格天井板に成形段階で直径１０mm位の穴をあけ、その天井板の裏にＬＥＤチップをとりつけたプリント基板もしくは薄い平板導線を貼り付けた室内照明器具。
【請求項２】
ＬＥＤ埋め込み式天井板を貼り合わせた段階で電気配線をしなくても回路が完成していて、電源スイッチをつなげれば天井全体で室内を均一に照らすことを特徴とする請求項１記載の室内照明器具。
(57)【要約】      （修正有）【課題】登山靴に装着するためのフェルトの滑り止め具を提供する。【解決手段】５ミリ厚程度のフェルトを基材とし、靴裏の前半部をカバーする胴体部を中心に、その先端側と中央側両端、下部側両端の５方向に突出するつば２０が一体に形成されて為る本体１０と、前記つばに連結される伸縮バンド３０により構成され、各伸縮バンドが交差する靴上の１点において括り止めされる構造としたことを特徴とする。【選択図】図１
0003198641.tif 000002
【実用新案登録請求の範囲】
【請求項１】
５ミリ厚程度のフェルトを基材とし、図３及び図４で示すように、靴裏の前半部をカバーする胴体部を中心に、その先端側と中央側両端、下部側両端の５方向に突出するつばが一体に形成されて為る本体と、前記つばに連結される伸縮バンドにより構成され、図２に示すように、前記伸縮バンドは靴上の１点で括り止めされる構造とした事を特徴とする、登山靴用のフェルトの滑り止め具。
【考案の詳細な説明】
【技術分野】
【０００１】  本考案は、主に登山靴に装着して使用するためのフェルト（不織布を含む）の滑り止め具の構造に関する。
【背景技術】
【０００２】  登山において、雨露時の木道を歩く沼めぐり、渓流を渡る渡渉、雨時の丸太橋や岩場の通過など、濡れて滑り易い環境ではフェルトが効果的である。この場合、沢靴や釣靴を履くのが最善であるが、通常の山道ではフェルトが痛むため再び登山靴に履き替える面倒が生じる。よって、装着型のフェルトが市販されていれば良いが、登山靴に装着出来る実用具は存在しない。その理由は、登山者であれば多少の危険は技術で補うものと放置されて来た事が要因でもある。しかし、近年の登山ブームにより初心者や高齢者が急速に増えている現状から、上記危険個所への対策が迫られている。【０００３】  本考案に類似性が見られるものに「靴の滑り止め具」なる先行技術がある。これはコンパクトで登山靴にも装着可能な点で優れるが、滑り止めが効く面が枠状であるため先述した環境では効果は弱い。また、他にも膨大に出願がなされているが、これらは一般道における雪氷路面の使用を主な目的としている。本考案は最もフェルトが効くアウトドア環境において、フェルトを登山靴に装着するための滑り止め具に関する考案であり、アイスバーンでは接着してしまうため逆に危険なのである。
【先行技術文献】
【０００４】
【特許文献１】特許公報平１１−１５５６０７
【考案の概要】
【考案が解決しようとする課題】
【０００５】  フェルトの滑り止め具は限定用途の宿命を持ち、アウトドア市場には存在しない新規の用具であるから確かな需要を得るのは容易ではない。従って、着脱の容易さ、小型軽量、低コストは勿論、登山靴に安定装着して渓流や泥道に耐える事が前提であり、実用具として信頼を得る構造を見出す必要がある。本考案は、これらの課題を全て解決する事を目的とする。
【課題を解決するための手段】
【０００６】  本考案は、５ミリ厚程度のフェルトを基材とし、図３及び図４で示すように、靴裏の前半部をカバーする胴体部を中心に、その先端側と中央側両端、下部側両端の５方向に突出するつばが一体に形成されて為る本体と、前記つばに連結される伸縮バンドにより構成され、図２に示すように、前記伸縮バンドは靴上の１点で括り止めされる構造を特徴とする、登山靴用のフェルトの滑り止め具としたものである。
【考案の効果】
【０００７】  本品はフェルトを基材として５方向のつばを持つ本体が伸縮バンドと連結される簡素な構造が特徴で、小型軽量、低コストの課題は十分に解決されるし、靴裏の前半部をカバーするサイズに５ミリ厚程度のフェルトの平面安定性と耐性も申し分ない。また、伸縮バンドは靴の側面に曲げられるつばにより地面を踏まず、傷みやすい本体はこのまま両面使用が可能であるから経済的である。しかも、各伸縮バンドは靴上１点において括り止めされるため、本品を引き寄せるように靴のつま先から被せ入れるだけのワンタッチ装着が可能となる。
【図面の簡単な説明】
【０００８】
【図１】本品を登山靴に装着した場合の側面図である。
【図２】本品を登山靴に装着した場合の平面図である。
【図３】本品を登山靴に装着した場合の靴底から見た説明図である。
【図４】本体形状を示す平面図である。
【考案を実施するための形態】
【０００９】  本考案を実施するにあたり、つば２０と伸縮バンド３０との連結方法において、カシメ止め、縫い付け、連結リングを用いるなど何れでも構わない。また、本体の胴体部１０に爪金具などを装備し、別用途の滑り止め具への応用も自由である。
【符号の説明】
【００１０】  １０：本体の胴体部
２０：つば
３０：伸縮バンド
４０：カシメ止め部
５０：登山靴
【図１】
0003198641.tif 000003
【図２】
0003198641.tif 000004
【図３】
0003198641.tif 000005
【図４】
0003198641.tif 000006
【手続補正書】
【提出日】平成27年4月22日(2015.4.22)
【手続補正１】
【補正対象書類名】実用新案登録請求の範囲
【補正対象項目名】請求項１
【補正方法】変更
【補正の内容】
【請求項１】
５ミリ厚程度のフェルトを基材とし、靴裏の前半部をカバーする胴体部を中心に、その先端側と中央側両端、下部側両端の５方向に突出するつばが一体に形成されて為る本体と、前記つばに連結される３本の伸縮バンドにより構成され、各伸縮バンドが交差する靴上の一点において括り止めされる構造とした事を特徴とする、登山靴用のフェルトの滑り止め具。
(57)【要約】      （修正有）【課題】グリップし易く、落下にくくすることを目的とする組紐を用いた持ち柄を提供する。【解決手段】柄本体２と段差部３と組紐４からなり、段差部３は、柄本体２の中間部が掘り下げて構成され、この段差部３に組紐４をスパイラル状に密に巻き付けた。また、前記段差部３の、組紐４の巻き始めに溝を設け、そこにＵ字釘で組紐４を固定してほどけにくいようにした。【選択図】図１
0003198642.tif 000002
【実用新案登録請求の範囲】
【請求項１】
柄本体２と段差部３と組紐４からなり、段差部３は、柄本体２の中間部が掘り下げて構成され、この段差部３に組紐をスパイラル状に密に巻き付けたことを特徴とする組紐を用いた持ち柄。
【請求項２】
前記断差部で、組紐の巻き始めに溝を設け、そこに組紐をＵ字釘で組紐を固定してほどけにくいようにした請求項１記載の組紐を用いた持ち柄。
【考案の詳細な説明】
【技術分野】
【０００１】  本考案は、ずれ落ち防止する傘等の持ち柄に関する。
【背景技術】
【０００２】  従来の一般的な傘の柄等の持ち柄は、プラスチックや木で形成されているのでグリップが滑りやすく、ずれることがあった。
【考案の概要】
【考案が解決しようとする課題】
【０００３】  本考案は、このような従来の持ち柄では、できなかったグリップし易すく、落下にくくすることを目的とする。
【課題を解決するための手段】
【０００４】柄本体２と段差部３と組紐４からなり、段差部３は、柄本体２の中間部が掘り下げて構成され、この段差部３に組紐をスパイラル状に密に巻き付けた組紐を用いた持ち柄である。【０００５】  段差部で、組紐の巻き始めに溝を設け、そこに組紐をＵ字釘で組紐を固定してほどけにくいようにした組紐を用いた持ち柄である。
【考案の効果】
【０００６】本考案の傘持ち柄は、握力の弱い使用者の方でも、傘等の持ち手で、グリップし易く、滑ったり、落下するのを防止できる。
【図面の簡単な説明】
【０００７】
【図１】本考案の組紐を用いた持ち柄の製作工程。（ａ）組紐を巻く前  （ｂ）組紐を巻き始め  （ｃ）巻き終わり（完成）
【図２】本考案の組紐を用いた持ち柄の、組紐の巻き始めの固定方法
【図３】本考案の組紐を用いた持ち柄の他の実施例
【考案を実施するための形態】
【０００８】以下、本考案の組紐を用いた持ち柄の構成と製作方法について図１から２で説明する。
【０００９】本考案の組紐を用いた持ち柄１は、柄本体２と段差部３と組紐４からなる。
柄本体１の柄の形状は、直線状でも円弧状など任意の形状である。柄本体２の中間部に、一様の深さをもつ段差部３を備える。
この段差部３に、組紐を、段差部に段差部の端（段差部の柄本体に近い部分）から、他端に向かって、スパイラル状に密に巻き付け、終端で結び、さらにほどけにくいように留め具７で固定する。
【００１０】図２は、本考案の組紐を用いた持ち柄の、組紐の巻き始めの固定方法を示す。
段差部３の端に巻き始めに、溝部５を備え、そこに組紐をＵ字釘６をうって留め、ほどけないようにする。
【産業上の利用可能性】
【００１１】傘など柄に使用できる、少しの力で傘の保持ができ、滑り防止ができる組紐を用いた持ち柄を提供する。
【符号の説明】
【００１２】１  組紐を用いた持ち柄
２  柄本体
３  段差部
４  組紐
５  溝部
６  Ｕ字釘
７  留め具
【図１】
0003198642.tif 000003
【図２】
0003198642.tif 000004
【図３】
0003198642.tif 000005